Podtech/llm-jp-corpus-v4-ja_patent huggingface dataset:
(57)【要約】【課題】角食パンにジヤム、バター類をぬる時にパンを手指で押さえるが、固定しにくく動いてしまい、手間がかかる、ぬりにくい、手指が汚れる等の問題が解消できて、ジヤム、バター類が早く、均等にぬる事ができて、手指も汚れない衛生的な角食パンジヤムぬり台を提供する。【解決手段】ぬり台に上下スライド部、ぬり台、台部取手、脚と、クランプ丸棒に取手、クランプ部、スライド棒入れを設けて、クランプ丸棒を上下にスライドさせる事により、パンの固定、取り外しが早く、簡単にでき、パンにジヤム、バター類を早く、均等にぬる事ができて、手指の汚れもない衛生的なパンを食べる事のできる事を特徴とする、角食パンジヤムぬり台。【選択図】図３
2012061286.tif 000002
【特許請求の範囲】
【請求項１】
ぬり台の両端にスライド棒入れ、上部にぬり台、下部に台部取手、脚、クランプ丸棒には、取手、クランプ部、上下スライド部を設け、ぬり台にクランプ丸棒を取り付け、パンにジヤム、バター類をぬる時のパンの固定と取り外しは、パンをぬり台の端にのせて、クランプをパンの耳部の手前につけてクランプ丸棒取手と台部取手を掴み、クランプ丸棒を上下にスライドさせることで固定と取り外しが確実にできるので、ジヤム、バター類を早く、均等にぬれる事とパンに手指が触れないので、汚れる事はなく衛生的向上ができる角食パンジヤムぬり台である。
【発明の詳細な説明】
【技術分野】
【０００１】  ぬり台の上部にスライド棒入れ、パンをのせる、ぬり台、下部に台部取手、脚とクランプ丸棒に取手、クランプ部、上下スライド部を設け、ぬり台にクランプ丸棒を上下にスライドさせて、パンの固定と取り外しを行い、パンにジヤム、バター類を早く、確実にぬれる事ができ、手指が汚れないので衛生的な角食パンジヤムぬり台に関するものである。
【背景技術】
【０００２】  従来、角食パンをそのまま、又は、トーストにして、ジヤム、バター類をぬる時、パンを固定する台や食器はなく、パンを皿に載せて手指で押さえながらジヤム、バター類をぬつていた。
【発明の開示】
【発明が解決しようとする課題】
【０００３】  そのために、次の様な問題があつた。
（イ）パンは薄いのと、トーストは熱いので手指で押さえにくいのでパンが動きやすく手指にジヤム、バター類が付着して汚れる事と早く、均等にぬれない事が多かつた。
（ロ）子供達、高齢の方はぬるのに時間がかかるので、トースト類は冷めてしまうのでマーガリン、バター類はぬりにくかつた。
本発明は、これらの問題点を解決するためになされたものである。
【課題を解決するための手段】
【０００４】  ぬり台上部にパンをのせる４角状で平らなぬり台、両端に筒状のスライド棒入れ、下部に台部取手、脚４ケ所とクランプ丸棒は、上部にクランプ丸棒取手、下部にパンを固定するクランプ部、クランプ丸棒を上下させるために両端に上下スライド部を設けて、ぬり台にクランプ丸棒を取り付けて、パンにジヤム、バター類をぬる時にパンの固定と取り外しは、パンをぬり台の端にのせて、クランプ部をパンの耳部の手前３ミリから１０ミリのところにつけて、クランプ丸棒取手と台部取手を掴み、クランプ丸棒を軽く押し下げて、、確実に固定と上に上げれば簡単に取り外しできる様にしたのでパンにジヤム、バター類を早く、均等にぬる事ができて、手指がパンに触れないため、、手指が汚れる事がない角食パンジヤムぬり台である。
【発明の効果】
【０００５】  パンにジヤム、バター類をぬる時にパンをぬり台に軽い圧力で固定するためにクランプ丸棒をぬり台のスライド棒入れに取り付けて、クランプ丸棒取手とぬり台の台部取手を掴み、クランプ丸棒を上下にスライドさせて、クランプ丸棒を軽い圧力で下に押し下げて固定と上に上げて取り外しする様にしたので、一般の方、子ども、高齢の方も、簡単で早く、確実にできるので、パンにジヤム、バター類を早く、均等にぬる事ができる事とパンに手指が触れない様にした事で手指の汚れがなく、衛生的になり、温かいパンを美味しく食べる事ができる。
【発明を実施するための最良の形態】
【０００６】  以下、本発明の実施の形態を説明する。
（イ）クランプ丸棒  上部にクランプ丸棒（１）クランプ丸棒取手（２）下部にクランプ部（３）両端に上下スライド部（４）を設ける。
（ロ）ぬり台  上部にぬり台（５）台部取手（６）両端にスライド棒入れ（７）下部に４本の脚（８）を設けて、クランプ丸棒を取り付ける。
本発明は、以上の構成よりなつている。
これを使用する時は、クランプ丸棒（１）の、上下スライド部（４）の両端をぬり台（５）の、スライド棒入れ（７）の両端に入れて、クランプ丸棒（１）の、クランプ丸棒取手（２）を掴み、上に上げながら、パン（９）を、ぬり台（５）にのせて、クランプ丸棒（１）取付け側につけて、パン（９）の耳部より、３ミリから１０ミリ位のところに、クランプ部（３）をのせて、クランプ丸棒取手（２）と、台部取手（６）を掴み、クランプ丸棒（１）を軽く押し下げていれば、クランプ部（３）が、パン（９）を簡単で確実に固定して、ジヤム（１０）を、ぬり器（１１）で手早く、均等にぬり終えた後、片方の手が、クランプ丸棒取手（２）を掴み、もう片方の手で、台部取手（６）を掴み、クランプ丸棒取手（２）を上に上げながら、ぬり台（５）を斜めにして、パン（９）をすべらせて皿に入れる
【図面の簡単な説明】
【０００７】
【図１】本発明の斜視図
【図２】本発明の分解の斜視図
【図３】本発明の角食パンジヤムぬり台使用の斜視図
【符号の説明】
【０００８】      １  クランプ丸棒
２  クランプ丸棒取手
３  クランプ部
４  上下スライド部
５  ぬり台
６  台部取手
７  スライド棒入れ
８  脚
９  パン
１０  ジヤム
１１  ぬり器
【図１】
2012061286.tif 000003
【図２】
2012061286.tif 000004
【図３】
2012061286.tif 000005
(57)【要約】【課題】  本発明は、マスクの収納時、雑菌の繁殖を押さえゴミなどの付着を防ぐ携帯ケースを提供する。【解決手段】  マジックテープ（２）、銅箔（３）を２箇所貼り、折り目とプラスチックシート切込み（４）切れ目を入れた、プラスチックシートに、殺菌、芳香性のあるアロマオイルを染みこませたコットンをマスクに挟んで納めることにより爽快感があり、アロマオイル、銅の微量金属作用によって悪臭や雑菌の繁殖を押さえ、ゴミの付着を防ぎ衛生的に保管できる携帯ケースを提供する。【選択図】図１
2012061288.tif 000002
【特許請求の範囲】
【請求項１】
プラスチックシート（１）の下部にコットン固定用マジックテープを貼り合わせたマスクの携帯ケース。
【請求項２】
マスクのゴムを掛ける切れ目を入れ、収納時ケースの広がりを防ぐことを特徴としたマスクの携帯ケース。
【請求項３】
銅箔の微量金属作用でマスクに付着した雑菌の繁殖を軽減することが出来るマスクの携帯ケース。
【発明の詳細な説明】
【技術分野】
【０００１】  本発明は、マスクの収納ケースに関するものである。
【背景技術】
【０００２】  従来、風邪、インフルエンザ、花粉の予防のため、仕事上付けているマスクを外し保管する場合、ポリ袋に入たり、無雑作に折りたたみポケットやバックに入れ保管していたが、保管状況、衛生上に問題があった。
【発明の概要】
【発明が解決しようとする課題】
【０００４】  本発明は、予防習慣の中、通勤、通学、作業時に着けているマスク、日常、外している場合も多く、マスクに付いた花粉や雑菌、唾液が起因する悪臭、また、保管場所のゴミが付き使用者の悩みになっている。
本発明は、以上の問題点を軽減するためになされたものである。
【課題を解決するための手段】
【０００５】  プラスチックシート（１）に折り目をいれ、中心部にプラスチックシート切込み（４）を２箇所、ゴム掛け用の切れ目をいれたシート下部にマジックテープ（２）（登録商標）、銅箔（３）を２箇所、左右に貼りつけたものである。
以上のように構成されたマスクの携帯ケースである。
【発明の効果】
【０００６】従来マスクはウイルス、雑菌、花粉、唾液が付いたまま、鞄やポケットに保管され雑菌が繁殖し悪臭や新たにゴミが付き衛生上にも大きな問題点があった。
本発明を利用することにより、この問題は大きく改善され、衛生、快適化に貢献するものである。
【図面の簡単な説明】
【０００７】
【図１】  本発明の使用状態を示した斜視図である。
【図２】  本発明の展開図である。
【図３】  本発明の使用状態を示した側面図である。
【発明を実施するための形態】
【０００８】
【符号の説明】  以下、本発明の実施の形態について説明する。
（イ）プラスチックシートを図２の様な形状にして折り目と切れ目を入れる。
（ロ）プラスチックシート下部に２箇所マジックテープ（登録商標）を設ける
（ハ）マスクを入れ折りたたみマスクのゴムを外側に出し、交差させ三角の切れ目にゴム      を掛ける。
（二）プラスチックシート（マスク）の外面になる面に銅箔を貼る。
銅箔の微量金属作用でマスクに付着した雑菌の繁殖を軽減することができる。
【符号の説明】
【０００９】      １  プラスチックシート
２  マジックテープ（登録商標）
３  銅箔
４  プラスチックシート切込み
【図１】
2012061288.tif 000003
【図２】
2012061288.tif 000004
【図３】
2012061288.tif 000005
(57)【要約】【課題】  従来、外出や旅行等で、タオルやハンカチ等を忘れた場合、代用になるものがなく、困ることが多かった。  また、タオル地を使用したポーチや巾着等では、手や顔を拭くことはできず、タオル等を忘れた場合の代用として使用することはできなかった。【解決手段】  タオルの外周に両開きファスナーを設け、前記タオルの両端に持ち手を設け、前記タオルの裏側に取り外しできるガーゼハンカチ兼ポーチを設けたことを特徴とするタオルとハンカチの機能を備えたバッグ。【選択図】図２
2012061287.tif 000002
【特許請求の範囲】
【請求項１】
タオルの外周に両開きファスナーを設け、前記タオルの両端に持ち手を設け、前記タオルの裏側に取り外しできるガーゼハンカチ兼ポーチを設けたことを特徴とするタオルとハンカチの機能を備えたバッグ。
【発明の詳細な説明】
【技術分野】
【０００１】  本発明は、タオルとハンカチの機能を備えたバッグに関するものである。
【背景技術】
【０００２】  従来、タオルと小物入れは別々な目的で取り扱われている。
また、タオル地を使用した小さなポーチや巾着、手提げのバッグがあり、これらはタオル地の肌触りの良さを楽しんだり、肌に優しいとか又は、可愛らしさを表現する目的で実用に供せられている。
【発明の概要】
【発明が解決しようとする課題】
【０００３】  従来、外出や旅行等で、タオルやハンカチ等を忘れた場合、代用になるものがなく、困ることが多かった。
また、タオル地を使用したポーチや巾着等では、手や顔を拭くことはできず、タオル等を忘れた場合の代用として使用することはできなかった。
従って、この発明が解決しようとする課題は、ハンドタオルをバッグとして使用することができ、かつ、ガーゼハンカチも併せて携帯できるタオルとハンカチの機能を備えたバッグを提供することである。
【課題を解決するための手段】
【０００４】  タオルの外周に両開きファスナーを設け、前記タオルの両端に持ち手を設け、前記タオルの裏側に取り外しできるガーゼハンカチ兼ポーチを設けたことを特徴とするタオルとハンカチの機能を備えたバッグ。
【発明の効果】
【０００５】  ハンドタオルをバッグとして使用することができ、かつ、ガーゼハンカチも併せて携帯できるタオルとハンカチの機能を備えたバッグを提供することができる。
【図面の簡単な説明】
【０００６】
【図１】  本発明のタオルとハンカチの機能を備えたバッグの展開状態を示した外側の平面図である。
【図２】  本発明のタオルとハンカチの機能を備えたバッグの展開状態を示した内側の平面図である。
【図３】  本発明のタオルとハンカチの機能を備えたバッグのガーゼポーチ部分を示した平面図である。
【図４】  本発明のタオルとハンカチの機能を備えたバッグのガーゼポーチの蓋を閉じた状態を示した平面図である。
【図５】  本発明のタオルとハンカチの機能を備えたバッグの完成状態を示した斜視図である。
【図６】  本発明のタオルとハンカチの機能を備えたバッグを開いてタオル掛けに掛けた状態を示した平面図である。
【発明を実施するための形態】
【０００７】  以下、本発明の実施の形態を説明する。
（イ）毛羽立たない綿１００％のタオル（縦約５０ｃｍ×横約２５ｃｍ）（１）に、Ｃ辺、Ｄ辺の真中に、ファスナーストッパーがくるようにして、ファスナー（３）を外周に設ける（図１）。
（ロ）タオル（表側）（１）のＡ辺、Ｂ辺に、それぞれ持ち手（２）を設ける。
Ａ辺側の持ち手（２）の先端の片側にはボタンホール（５）を設け、ボタンホール（５）に合うようにＡ辺にボタン（４）を付ける（図１）。
（ハ）ガーゼ地を用いてポケット状にした収納袋の開口部（７）に、ボタンホック（１０）を上下にそれぞれ三ヵ所ずつ設けたことによって、開閉可能な蓋部が形成されるため、ガーゼハンカチ（８）はガーゼポーチ（９）として機能するよう形成することができる（図３、図４）。
（ニ）タオル（裏側）（１）のＥ辺に、ボタンホック（１０）を三ヵ所設け、ガーゼハンカチ（８）の上部のボタンホック（１０）三ヵ所と合わせることによってタオルバッグ（１１）の内ポッケト（６）として使うことができる（図２）。
本発明は以上のような構造である。
本発明を使用するときは、タオル（１）の両側ファスナー（３）を閉めて持ち手（２）を持ち、タオルバッグ（１１）として使用できる。
タオル（１）で使うときは、両側のファスナー（３）を全開に開けてボタン（４）のある方の持ち手（２）を上にし、タオルハンガー（１２）に引っ掛け、吊るすことができる。
持ち手（２）のボタン（４）があることでタオル（１）が掛けられない環境であっても容易に吊るすことができる。
また、タオルバッグ（１１）の内ポッケト（６）を取り外し、生理用品などを入れてガーゼポーチ（９）としてキャリーすれば便利である。
【符号の説明】
【０００８】１  タオル
２  持ち手
３  ファスナー
４  ボタン
５  ボタンホール
６  内ポケット
７  開口部
８  ガーゼハンカチ
９  ガーゼポーチ
１０  ボタンホック
１１  タオルバッグ
１２  タオルハンガー
【図１】
2012061287.tif 000003
【図２】
2012061287.tif 000004
【図３】
2012061287.tif 000005
【図４】
2012061287.tif 000006
【図５】
2012061287.tif 000007
【図６】
2012061287.tif 000008
(57)【要約】【課題】  従来まな板を横叉は、縦に立てるとまな板の渇きが遅くまた、しずく受け皿がないのでしずくが落ちてワークトップ上が汚れ不衛生だった。本発明は以上の問題点を解決することを目的とする。【解決手段】棒材からなる、枠体（１）と枠体（２）をまな板の厚さよりも広い間隔で対向し設け、支持する保持部（３）と保持部（４）を枠体（１）と枠体（２）に橋状に架かるように上部に設け、まな板が前後に揺れ動くことを防ぐ揺動防止部材（５）を、枠体（１）、枠体（２）の中央から垂直に延出したことを特徴とする水切りの早いしずく受け皿つきまな板立て。【選択図】図１
2012130643.tif 000002
【特許請求の範囲】
【請求項１】
棒材からなる、枠体（１）と枠体（２）をまな板の厚さよりも広い間隔で対向し設け、支持する保持部（３）と保持部（４）を枠体（１）と枠体（２）に橋状に架かるように上部に設け、まな板が前後に揺れ動くことを防ぐ揺動防止部材（５）を、枠体（１）、枠体（２）の中央から垂直に延出したことを特徴とする水切りの早いしずく受け皿つきまな板立て。
【請求項２】
棒材からなる、枠体（１）と枠体（２）をまな板の厚さよりも広い間隔で対向し設け、支持する保持部（３）と保持部（４）を枠体（１）と枠体（２）に橋状に架かるように上部に設け、まな板が前後に揺れ動くことを防ぐ揺動防止部材（５）を、枠体（１）、枠体（２）の中央から垂直に延出し、枠体の下部には台座（６）を設け、その台座に取りはずし可能なしずく受け皿（８）を設置することを特徴とする水切りの早いしずく受け皿つきまな板立て。
【発明の詳細な説明】
【技術分野】
【０００１】  本発明はまな板を立てるための道具で水切りの早いしずく受け皿つきまな板立てに関するものである。
【背景技術】
【０００２】  従来まな板を立てる道具は横型か縦型がほとんどで、しずく受け皿がなかった。
なお、多少斜めに立てるものもあるが、しずくは流し台のシンク内に落とすものであ。
【先行技術文献】
【特許文献】
【０００３】
【特許文献１】  特開２００３−３３２８４号公報
【特許文献２】  特開２００７−１３０２６５号公報
【発明の概要】
【発明が解決しようとする課題】
【０００４】  従来まな板を横または縦に立てるタイプのものは、水切りが遅く、しずく受け皿がないためしずくが落ちてワークトップ上が汚れ不衛生だった。
本発明は以上の問題点を解決するものである。
【課題を解決するための手段】
【０００５】棒材からなる、枠体（１）と枠体（２）をまな板の厚さよりも広い間隔で対向し設け、支持する保持部（３）と保持部（４）を枠体（１）と枠体（２）に橋状に架かるように上部に設け、まな板が前後に揺れ動くことを防ぐ揺動防止部材（５）を、枠体（１）、枠体（２）の中央から垂直に延出したことを特徴とする水切りの早いしずく受け皿つきまな板立て。
【発明の効果】
【０００６】  まな板の対向する２辺が交わる頂点を真下に向けることによりまな板の水切りが早く、またしずく受け皿の設置を可能にした。ワークトップ上を汚すことも解決できた。
【図面の簡単な説明】
【０００７】
【図１】  本発明の斜視図
【発明を実施するための形態】
【０００８】  以下本発明の実施の形態を説明する。
ステンレスまたはプラスチック等の棒材からなる、枠体（１）と（２）をまな板の厚さよりも広い間隔で対向し設ける。まな板の隣り合う二辺を支持する保持部（３）と保持部（４）を枠体（１）と（２）に橋状に架かるように上部に設ける。この保持部（３）、（４）はまな板スタンド枠によって固定されている。
【０００９】  まな板が前後に揺れ動くことを防ぐ揺動防止部材（５）が、枠体（１）、（２）の中央から垂直に延出している。揺動防止部材は台座か（６）ら２センチメートルから３センチメートル上までの長さとする。この時、揺動防止部材は中央から垂直に延出した略Ｕ字形状であったり、枠体（１）の長手方向に橋状に架かる形状を示す（図３参照）。
【００１０】  まな板スタンド枠の下部には台座（６）を設ける。台座に取りはずし可能なしずく受け皿（８）を設置する。
【００１１】  本発明は以上のような構造である。
本発明を使用するときは、まな板の対抗する二辺が交わる頂点が真下を向くことでまな板の乾きが早く、しずく受け皿でしずくを受けることができる。
【符号の説明】
【００１２】  １、枠体  ２、枠体  ３、保持部  ４、保持部  ５、揺動防止部材  ６、台座  ７、脚部  ８、しずく受け皿
【図１】
2012130643.tif 000003
【図２】
2012130643.tif 000004
【図３】
2012130643.tif 000005
【図４】
2012130643.tif 000006
【手続補正書】
【提出日】平成23年2月9日(2011.2.9)
【手続補正１】
【補正対象書類名】明細書
【補正対象項目名】０００７
【補正方法】変更
【補正の内容】
【０００７】
【図１】本発明の斜視図
【図２】本発明の使用状態を示す斜視図
【図３】本発明の実施状態を示す
【図４】本発明の実施状態を示す
(57)【要約】【課題】現在のたこ焼鋳鉄板は、使い勝手が悪くても、あまり改良されていません。私は少し改良すれば、使い良くなると思い考案しました。鋳鉄板の油、生地が外縁から流れ出ない様にすること。流れ出た油、生地は、鋳鉄板の下に廻らない様にすること。初心者でも早くたこ焼ができる方法はないか、問題は多くあります。【解決手段】本発明は、たこ焼鋳鉄板上の油、生地が流れ出ない様に、油止を高く１０ｍｍ以上にする。鋳鉄板下に流れない様に、油切の高さを３ｍｍとする。鋳鉄板のスキマを限りなく無くする。そして鋳鉄板上にピック溝を、格子状に作ることは、たこ焼を均等にして、ふっくらとなります。【選択図】図１
2012130645.tif 000002
【特許請求の範囲】
【請求項１】
たこ焼鋳鉄板の外縁に、油、生地が流れ出ない様にする為に、高さ１０ｍｍの油止を付ける。油、生地が油止を越えた場合は、鋳鉄板のスキマをなくして、下に３ｍｍの油切を取り付ける。この方法により、油、生地の無駄を少なくし、掃除の回数は少なくなる。油の固形化もなくなる。他択山あります。
【請求項２】
たこ焼鋳鉄板の上に、ピック溝を格子状につくって、初心者のたこ焼はピック溝に合せて、切り分ければ均等の大きさと、ふっくらとしたたこ焼が出来ます。
【請求項３】
たこ焼鋳鉄板の下を少し厚くすることで、鋳鉄板下の炭火固形化物を削り落としたり、ピックによる穴が少なくなり、熱が均等になって、焼き上がりが良くなります。
【発明の詳細な説明】
【技術分野】
【０００１】本発明は、たこ焼鋳鉄板上に敷く油、生地が外縁の低い油止を越えて、鋳鉄板の下に垂れ廻ってきます。たこ焼に慣れていない初心者は、技術的にも大変です。その為には、油、生地が下に垂れ廻らない様にする、たこ焼の具を広げるとたこ焼の位置が解からない、解かりやすい方法として、鋳鉄板の上にピック溝を作って、解かりやすくする。
【背景技術】
【０００２】従来、たこ焼の鋳鉄板の形状は、ほとんど変化なく同じだと思います。鋳鉄板の油、生地が鋳鉄板の下に廻って、ガスの吹出口に付いて、詰まり、火が片寄り、消えたり、突然火事になったりします。鋳鉄板の下が炭火して、熱の均等がなくなります。掃除が大変です、油が固形化して、それを削り落とすことは大変になります。
【発明の概要】
【発明が解決しようとする課題】
【０００３】現在のたこ焼鋳鉄板は、使い勝手が悪くても、あまり改良されていません。私は少し改良すれば、使い良くなると思い考案しました。鋳鉄板の油、生地が外縁から流れ出ない様にすること。流れ出た油、生地は、鋳鉄板の下に廻らない様にすること。初心者でも早くたこ焼ができる方法はないか、問題は多くあります。
【課題を解決するための手段】
【０００４】本発明は、たこ焼鋳鉄板上の油、生地が流れ出ない様に、油止を高く１０ｍｍ以上にする。鋳鉄板下に流れない様に、油切の高さを３ｍｍとする。鋳鉄板のスキマを限りなく無くする。そして鋳鉄板上にピック溝を、格子状に作ることは、たこ焼を均等にして、ふっくらとなります。
【発明の効果】
【０００５】たこ焼鋳鈑の発明による効果をまとめてみます。
１たこ焼の油と生地を無駄なく使用できます。
２たこ焼台の廻りはいつも綺麗になる。
３      〃        油のこびり付きが少なく、掃除が楽である。
４たこ焼器具の耐用年数が長くなる。
５たこ焼の調整がしやすく、均等の大きさとふっくら焼きになります。
【図面の簡単な説明】
【０００６】
【図１】本発明の鋳鉄板  （ａ）業務用平面図、（ｂ）家庭用平面
【図２】本発明の鋳鉄板  Ａ−Ａ断面図
【図３】本発明の鋳板板  Ｂ−Ｂ断面詳細図
【発明を実施するための形態】
【０００７】本発明のたこ焼鋳鉄板は、従来の加工された鋳鉄板の、問題と解決方法等を述べてみます。
１  鋳鉄板上の油、生地が外縁の油止を越えなくするには、油止を１０ｍと高くする。
２  油、生地が油止を越えた時は、油切を３ｍｍと高くして直接下に落とす。
３．ガスの吹出口の詰まり、火の強弱、鋳鉄板下の炭火固形化を防ぐには、油切を３ｍｍと高くして直接下に落とす。
４．油、生地が油止を越えた時は、たこ焼鋳鉄板のスキマをなくすることです。
５  初心者のたこ焼に役に立つ、鋳鉄板上のピック溝です。初心者はピック溝に合せて、たこ焼を切り分けると均等の大きと、ふっくらとしたたこ焼ができます。
【符号の説明】
【０００８】１  油止立上り、
２  油切り
３  鋳鉄板スキマを少なくする。
４  鋳鉄板の下を少し厚くする。
５  ピック溝
６  ガス管ノズル
７  火力
８  具、生地
９  下の台
【図１】
2012130645.tif 000003
【図２】
2012130645.tif 000004
【図３】
2012130645.tif 000005
(57)【要約】      （修正有）【課題】確実に単一の曜日だけが開く薬保管容器を提供する。【解決手段】保管容器の形状を円筒にすることで、容器の側面のカバー１が回転可能となり、カバーの一部に扉を設ける。その容器の内部を複数の隔壁で区切り個室４を設け、各個室のカバーに接する部分に内扉５を設置する。開けたい曜日（個室）に合わせてカバーを回転させ、カバーに設けた扉を移動し、開閉する。カバーに設けた扉を開けると共に個室に設置した内扉も開くことで、カバーの回転にロックがかかり、複数の曜日が同時に開くことはなく、確実に単一の曜日だけが開くという特徴を持つ薬保管容器。【選択図】図２
2012130642.tif 000002
【特許請求の範囲】
【請求項１】
容器を円筒にし、前記容器の側面のカバーは回転可能で一部に扉を設置し、前記容器の内部は複数の隔壁で区切り個室を設け、前記カバー及び前記各個室の前記カバーに接する部分に内扉を設置し、前記カバーの扉を開くと共に前記内扉も開き前記カバーの回転をロックする手段を備えたことを特徴とする薬保管容器。
【発明の詳細な説明】
【技術分野】
【０００１】  本発明は、病院や薬局で処方された薬や小売店で購入したサプリメント等の保管容器に関するものである。
【背景技術】
【０００２】  従来、１週間分の薬を曜日毎に分けて保管するには、ピルケースや壁掛けのお薬カレンダーなどが知られている。
【発明の概要】
【発明が解決しようとする課題】
【０００３】  薬の飲み忘れや重複服用を防ぐため、曜日毎に仕切られた薬保管箱がある。服用する際、薬保管箱の蓋を開けるが、複数の曜日の蓋が同時に開いてしまう可能性があり、その場合、薬が混合してしまい、服用できないケースが起きる。
本発明は以上の問題を解決するものである。
【課題を解決するための手段】
【０００４】  本発明によれば、薬保管容器の形状を円筒にし、前記容器の側面のカバーは回転可能で一部に扉を設け、前記容器の内部は複数の隔壁で区切り個室を設置し、前記カバー及び前記個室の前記カバーに接する部分には内扉を設け、前記カバーの扉を開くと共に前記内扉も開き前記カバーの回転をロックする手段を備えたことである。なお、ここに言う前記カバーの回転をロックする手段とは、前記扉と前記内扉に設けたマグネットが互いに磁着することによって、前記扉と前記内扉が一体となり引き合うため、前記カバーの回転を完全に停止するために生ずる作用のことである。
以上の構成によりなる薬保管容器。
【発明の効果】
【０００５】  薬保管容器の複数の曜日の扉が同時に開いてしまうことがないため、薬が混合してしまい服用できないケースが全く起こらない。
【図面の簡単な説明】
【０００６】
【図１】本発明の未使用状態を示す斜視図
【図２】本発明の使用状態を示す斜視図（上蓋を外した状態）
【図３】円盤に設けた溝を示す斜視図
【図４】本発明の実施例の上蓋を外した状態を示す平面図
【図５】本発明の実施例の上蓋を示す斜視図
【発明を実施するための形態】
【０００７】  以下、本発明を実施するための形態を図面に基づいて説明すると、薬保管容器は、円筒状で回転可能なカバー（１）と台座となる円盤（２）と上蓋（３）と各個室（４）を隔離する複数の仕切り（隔壁）（７）と扉（８）によって形成されている（図１、図２）。
カバー（１）の側面に、保管した薬等を取り出すための取り出し口（１ａ）を設ける。さらに、円盤（２）の上面にカバー（１）が脱落しないための溝（２ａ）を設けると共に、カバー（１）の内部を仕切るための隔壁（７）を複数設けてある。
個室（４）のカバー（１）に接する部分には、内扉（５）を設け、一端に磁石（６）を設ける。
【０００８】    取り出し口（１ａ）を閉じるためにカバー（１）の湾曲に沿った扉（８）を設け、また扉（８）を閉めてカバー（１）に固定するため、お互いに磁着するようにカバー（１）に磁石（１０）、扉（８）に磁石（１１）を設置する。また、扉（８）の中ほどに内扉（５）に設置した磁石（６）と磁着するための磁石（９）を設ける。
【０００９】    図３に示す円盤（２）の少なくとも一方の面には、カバー（１）を安定的に保持し、且つカバー（１）の揺れや脱落を防止するための溝（２ａ）を設けると良く、この溝（２ａ）の深さは、カバー（１）を回転させる作業において、カバー（１）が安定的に回転し且つ脱落することのない深さであることが望ましく、また、個室（４）の保管されている薬等がこぼれ出すことのない、形状であることが望ましい。
【００１０】  本発明は以上のような構造であるから、これを使用するには、円筒の上蓋（３）を開け、１週間分の薬（あるいは服用時間毎の薬）を充填し、上蓋（３）を閉める。開けたい曜日（あるいは服用時間帯）へカバー（４）を回転させることで扉（８）を移動する。カバー（４）に設けた扉（８）を開けると、内扉（５）に設けた磁石（６）と扉（８）の磁石（９）が引き合い、扉（８）と内扉（５）が重なり合って一体となるため、カバー（４）の回転はロックされ、動かない。薬保管容器ごと傾けて、薬を出し、再び扉（８）を閉めると内扉（５）も閉まり、扉（８）をカバー（４）に沿わせて閉じる。
【実施例】
【００１１】  以下、本発明の実施例を図面に基づいて説明すると、１日１回服用の薬を１週間単位で保管する場合（図４）、保管容器の内部を仕切り（隔壁）（７）で７つに区切り個室（４）を７つ設け、円盤（２）も７つに区切り円盤（２）に各曜日を記入する。服用する薬（またはサプリメント）を各曜日毎に充填する。保管容器の上蓋（３）の上面には、プリザーブド  フラワー（１２）を設けても良く（図５）、この他に、カレンダー、又は写真、又は時計、又はアートフラワー、又はフィギュア、又はプラモデル、又はスワロフスキー、又はラインストーン、又はスイーツデコ等、装飾性のある小物類を設けることも可能である。また、保管容器の内部（中央部）には、除湿剤などを内蔵するスペースを設ける場合がある。
他に使用例として、１日の服用時間毎の単位で保管する場合、保管容器の内部及び円盤を４つ（もしくは７つ）に区切り、円盤に朝食後、昼食後、夕食後、就寝前（もしくは、朝食前、昼食前、夕食前も追加）と記入する。服用する薬を時間毎に充填する。
さらに、薬以外の保管容器の使用例として、保管容器の内部を適宜、複数に区切り、チョコレートや飴などのお菓子類や、指輪やピアス、イヤリングなどのジュエリーを保管する容器として使用することも可能であることは言うまでもない。
【符号の説明】
【００１２】  １  カバー
１ａ  取り出し口
２  円盤
２ａ  溝
３  上蓋
４  個室
５  内扉
６  磁石
７  仕切り（隔壁）
８  扉
９  磁石
１０  磁石
１１  磁石
１２  プリザーブド  フラワー
【図１】
2012130642.tif 000003
【図２】
2012130642.tif 000004
【図３】
2012130642.tif 000005
【図４】
2012130642.tif 000006
【図５】
2012130642.tif 000007
(57)【要約】【課題】  従来のカバーでは、座席部が固定されているため満足に清掃することが難しく、また高齢による意図せぬ排泄行為から清潔に保つことが事を課題とする。【解決手段】  いすの座席シート部分を覆う本体カバーに、取り外し自在の上からかぶせる形の上部カバーから構成される座席シートカバーでありレンタル品、購入品などの幅広いタイプの車椅子の座席に対応でき、また座面にものを入れ込むことが可能なので不測の事態に対応することができる。加えて、簡単に取り外しが可能なので汚れてしまった際、洗うことで上記の課題を解決でき、介護者、家族、利用者の負担を軽減できる。【選択図】図２
2012130630.tif 000002
【特許請求の範囲】
【請求項１】
いすの座席シート部分を、覆う本体カバーに取り外し自在で上からかぶせる形をとる上部カバーとから構成される座席シートカバー。
【請求項２】
前記本体カバーおよび上部カバーは通気性の良い布を用いた請求項１記載の座席シートカバー。
【請求項３】
前記本体カバーは十字形状の四つの先端に止め具を設け対面に位置する止め具によりカバーをシートに固定する形状の請求項１記載の座席シートカバー。
【請求項４】
前記本体カバーは形が十字形状であり十字形状の交点のすみ部に扇形の隅カバーが設けられていることを特徴とする請求項１記載の座席シートカバー。
【請求項５】
前記上部カバーは形状が矩形状であり四隅にそれぞれマジックテープを設けられ、それに対応する前記本体カバー中央部には、前記上部カバーに設けられたマジックテープ対応する位置にマジックテープが設けられた請求項１記載の座席シートカバー。
【発明の詳細な説明】
【技術分野】
【０００１】  本発明は座面シートカバー、特に車いす用に快適な座面シートカバーに関する。
【背景技術】
【０００２】  従来のいすでは、いすに座席部が固定されているもの、または座席部にシートを置いて使用するものが大半であり、高齢による意図せぬ排泄行為によって車いすや座席部を汚してしまっても、金銭的な問題や介護者への配慮から交換せずにそのまま使用し続けてしまい衛生面で不利な状態という背景がある。（特許文献１参照）
【先行技術文献】
【特許文献】
【０００３】
【特許文献１】  特開２００１−８９７５号公報（第１−２頁，図１）
【発明の概要】
【発明が解決しようとする課題】
【０００４】  しかし、従来の車いすでは、座席部シート内に紙おむつを入れ込めるものがあったが、紙おむつを入れ込みにくく、交換などでも取り替えにくいため満足に清掃することが難しく清潔に保つことが出来なかった。そこで本発明は紙おむつを取り替えやすく清潔をと持つことを課題とする。
【課題を解決するための手段】
【０００５】  上記課題を解決するために本発明は座席部シートに本体カバーを取り付け、紙おむつを置き、その上に取り外し可能上部カバーをかけることにより清潔を保つことができるようにすることを課題とする。
【発明の効果】
【０００６】  本発明は次のような効果を奏する。請求項１に記載されている発明は座席部シートに本体カバーを取り付け紙おむつを置き、その上にマジックテープで上部カバーをかける構造をとることにより容易に汚れた部位の取り外し交換を可能とし、洗濯が出来るように改良した。上記のいすカバーは座面に紙おむつを違和感なく置くことが可能であり、紙おむつを置いた部分を覆うことができる。このことにより見栄えが良く、また取り外しも容易になり不測の事態に対応することができる。
【図面の簡単な説明】
【０００７】
【図１（ａ）】座面いすカバーの展開図。
【図１（ｂ）】上部いすカバーの展開図
【図２】いすカバーの取り付けた状態の縦断面図。
【発明を実施するための形態１】
【０００８】  図１の（ａ）座面シート本体カバー１０において十字形状の四つの先端に止め具１６ａ、１６ｂ、１６ｃ、１６ｄ、１７ａ、１７ｂ、１７ｃ、１７ｄ（以下１６および１７）を設け対面に位置する（１６ａと１６ｃなどの）止め具によりカバーをシートに固定する形状十字形状であり、十字形状の交点の隅部に扇形の隅カバー３０ａ、３０ｂ、３０ｃ、３０ｄ（以下３０）が設けられ、中央の矩形状ＡＢＣＤの四隅にそれぞれマジックテープ１５ａ、１５ｂ、１５ｃ、１５ｄ（以下１５）を設けられの形状を基本形とする。
【０００９】  図１の（ｂ）座面シート上部カバー２０において上部カバーは正方形状であり四隅にそれぞれマジックテープ２５ａ、２５ｂ、２５ｃ、２５ｄを縫い付けたものを基本形とする。
【００１０】  図２において座部シート４に本体カバー１０をかけ、紙おむつ８を置き、上部カバー２０を置き、マジックテープ１５と２５で動かないように固定した際の断面図であり、これにより高齢による意図せぬ排出行為により汚れてしまっても、上部カバー２０が汚れてしまうが紙おむつ８によって吸水され、本体カバー１０は汚れることはなく、上部カバー２０と紙おむつ８を取り替えるだけで本体カバー１０を取り替える手間がなくすことができる。
【発明を実施するための形態２】
【００１１】  いす座面カバーを広げ、その中心に車いす座面部に置く市販のクッションを置いてひもを絞り、結んで固定する。
裏返し、形を整えオムツをひき上からマジックテープで布を止めオムツを隠す。
【００１２】  上記の発明を実施するための形態１および発明を実施するための形態２としてカバーを構成する布では化学繊維、自然繊維、動物繊維を使用する。またマッジクテープの代わりに紐、ボタン、フック、ベルト、ファスナーを利用する。形状としては風呂敷型の十字形状、Ｔ形状型、Ｉ形状型、Ｌ形状型や、シートの上からかぶせて入口を絞る袋型の形態をとる。
【符号の説明】
【００１３】１  １０…座面シート本体カバー
２  ２０…座面シート上部カバー
３  ３０…扇形隅カバー
４  ４…座面シートおよびクッション
５  ５…上部座面固定マジックテープ
６  ６…座面固定右マジックテープ
７  ７…座面固定左マジックテープ
８  ８…紙おむつ
【図１（ａ）】
2012130630.tif 000003
【図１（ｂ）】
2012130630.tif 000004
【図２】
2012130630.tif 000005
(57)【要約】【課題】  本発明は、たとえば、皿状のアルミ箔の容器本体の全体に無数の蒸気孔を設け、皿状のアルミ箔の底部に台座をはめ込むための切り込みを設け、着脱可能な台座を設け、浅く水をはったフライパンに台座のついた皿状のアルミ箔の容器本体の蒸し器に野菜等を置いて、蒸すことができるように工夫した蒸し器を提供する。【解決手段】  皿状のアルミ箔の容器本体（１）に無数の蒸気孔（２）を設け、皿状のアルミ箔の容器本体（１）の底部に台座（４）をはめ込むための切り込み（３）を設けたことを特徴とした蒸し器。【選択図】図１
2012130631.tif 000002
【特許請求の範囲】
【請求項１】
皿状のアルミ箔の容器本体（１）に無数の蒸気孔（２）を設け、皿状のアルミ箔の容器本体（１）の底部に、台座（４）をはめ込むための切り込み（３）を設けたことを特徴とした蒸し器。
【発明の詳細な説明】
【技術分野】
【０００１】  本発明は、たとえば、皿状のアルミ箔の容器本体の全体に無数の蒸気孔を設け、皿状のアルミ箔の底部に台座をはめ込むための切り込みを設け、着脱可能な台座を設け、浅く水をはったフライパンに台座のついた皿状のアルミ箔の容器本体の蒸し器に野菜等を置いて、蒸すことができるように工夫した蒸し器に関するものである。
【背景技術】
【０００２】  従来、野菜等を蒸すとき、専用の鍋や陶器製の蒸し器等を使用していた。
先行技術は、鍋と組み合わせた蒸し器が提案されている。（特許文献１参照）
【先行技術文献】
【０００３】
【特許文献１】  特開２００７−２６７８７２号公報
【発明の概要】
【発明が解決しようとする課題】
【０００４】  そのため、次のような問題点があった。
専用の鍋や陶器製の蒸し器はかなり高価であり、形も大きいため、使うとき、出したり、収納したりするのが面倒であった。
本発明は、以上の問題点を解決しようとするものである。
【課題を解決するための手段】
【０００５】  皿状のアルミ箔の容器本体（１）に無数の蒸気孔（２）を設け、皿状のアルミ箔の容器本体（１）の底部に台座（４）をはめ込むための切り込み（３）を設ける。
以上のように構成された蒸し器である。
【発明の効果】
【０００６】  本発明は、皿状のアルミ箔の容器本体の蒸し器に野菜等をのせて、浅く水を入れたフライパンの上に置き、熱するだけで蒸し物ができ、安価で後片付け等も簡単である。
【図面の簡単な説明】
【０００７】
【図１】  本発明の分解斜視図である。
【図２】  本発明の斜視図である。
【図３】  本発明の使用状態を示した説明図である。
【発明を実施するための形態】
【０００８】  以下、本発明の実施の形態について説明する。
皿状のアルミ箔の容器本体（１）に無数の蒸気孔（２）を設け、皿状のアルミ箔の容器本体（１）の底部に台座（４）をはめ込むための切り込み（３）を設ける。
次に、使い方を説明する。
無数の蒸気孔（２）と切り込み（３）を設けた、皿状のアルミ箔の容器本体（１）とアルミの台座（４）を組合せる。
皿状のアルミ箔の容器本体（１）の蒸し器に、野菜等（７）を入れる。
それを、浅く水（６）を入れたフライパン（５）の上に置き、下から熱して蓋をするだけである。
すると、蒸気が蒸気孔（２）を通って蒸し物ができる。
【符号の説明】
【０００９】  １  皿状のアルミ箔の容器本体
２  蒸気孔
３  切り込み部
４  台座
５  フライパン
６  水
７  野菜等
【図１】
2012130631.tif 000003
【図２】
2012130631.tif 000004
【図３】
2012130631.tif 000005
(57)【要約】【課題】コンビニ等の弁当を入れる従来のレジ袋は同時に手荷物等を持つ場合、持ち運ぶ間に弁当ケースがレジ袋内でずれ、内容物が偏っていた。【解決手段】レジ袋１の四隅に圧着部を設ける。圧着部は例えば、圧着部５の形状である。圧着部５の働きで、レジ袋の底部が巾着状になり弁当ケースがずれにくくなり、内容物も偏りにくい。【選択図】図１
2012130632.tif 000002
【特許請求の範囲】
【請求項１】
四隅に圧着部を設けたことを特徴とするレジ袋。
【請求項２】
前記の四隅の圧着部の形状は丸みを帯びた三角形、圧着部５であることを特徴とする請求項１記載のレジ袋。
【発明の詳細な説明】
【技術分野】
【０００１】  この発明は、コンビニ弁当等を入れるレジ袋の形状に関するものである。
【背景技術】
【０００２】従来の一般的な弁当用レジ袋は図４のように、一端が熱融着により封止されて封止部１が形成されるとともに他端が開口されて開口部２が形成され、幅方向の両端部が内部にＶ字状に折り込まれて奥行きとなる折り込み部３が形成され、Ｖ字状に折り込まれた開口部２の熱融着部分を手提げ部４として形成されている。
【先行技術文献】
【特許文献】
【０００３】
【特許文献１】実登３１４６３５３号公報
【非特許文献】
【０００４】
【発明の概要】
【発明が解決しようとする課題】
【０００５】  従来の技術によれば、同時に手荷物がある場合、中に入れた弁当が歩いていると時に水平に保てず、弁当の内容物が偏ったり、漏れたりして持ちにくかった
そこで、この発明は、弁当ケースがずれ、弁当の内容物が偏らない弁当用レジ袋を提供することを課題とする。
【課題を解決するための手段】
【０００６】  以上の課題を解決するために、第一発明は、レジ袋の四隅に熱圧着部を設けることを特徴とする弁当用レジ袋である。また第二発明はレジ袋の四隅の熱圧着部の場所と形状が圧着部５であることを特徴とする弁当用レジ袋である。
【発明の効果】
【０００７】  第一発明、または第二発明によれば、弁当のケースの角がレジ袋の四隅に設けられた圧着部よって袋内での弁当のずれが解消される。
【図面の簡単な説明】
【０００８】
【図１】この発明の一実施形態を示す斜視図である。
【図２】図１の平面を示した平面図である。
【図３】図２の側面図である。
【図４】従来技術を示す斜視図である。
【図５】図４の平面を示した平面図である。
【発明を実施するための形態】
【０００９】  この発明の一実施形態を、図１に示す。
図２、図３のように従来のレジ袋製作時に圧着部を設ける。
【００１０】「実施形態の効果」
この実施形態によれば、弁当ケースの角がレジ袋の四隅に圧着部を設けることにより、レジ袋の底が巾着袋状になり、レジ袋の中でずれにくく、内容物も偏らなくなる。
「他の実施形態」
図１の実施形態では、圧着部５の形状だが、他の実施形態では、四隅に圧着部を設け、巾着状になったものでも良い。
【符号の説明】
【００１１】１  封止部            ２  開口部
３  折り込み部  ４  手提げ部  ５  圧着部
【図１】
2012130632.tif 000003
【図２】
2012130632.tif 000004
【図３】
2012130632.tif 000005
【図４】
2012130632.tif 000006
【図５】
2012130632.tif 000007
(57)【要約】      （修正有）【課題】ロールペーパーの端を引くために、紙押さえを上げ下げする面倒がなくなるトイレットペーパーを提供する。【解決手段】ロールペーパー１に、等間隔に数多く施されたミシン目２の１センチから１，５センチほどの上部どれにも、ミシン目２平行となる目印のブルーライン３又は文字、小文様等を印刷する。そのブルーライン３等にロールペーパー１のセットホルダーの紙押さえ端を合わせることによって、トイレットペーパー１を切り取り線より切り取る。【選択図】図１
2012130636.tif 000002
【特許請求の範囲】
【請求項１】
図１、図２に示す様、トイレットペーパー等のロール１一巻全部のミシン目２の適度な幅上部に、切り取りの際、紙押さえ位置を適性位置にするための目印として、ミシン目に２平行して、カラー線３や横文字８、小文様９等を印刷する方法。
【発明の詳細な説明】
【技術分野】
【０００１】  本発明は、トイレットロールペーパーに関するものである。
【発明の概要】
【発明が解決使用とする課題】
【０００２】  今日普及しているトイレットロールペーパーは、ミシン目（切り込み線）を施した商品が主流をなしている。そのためペーパーホルダーの上部にある紙押さえプレート縁のペーパーを切るためのギザギザ形成の必要性が無くなり、今日のトイレットペーパーホルダーのその部分は、ロールペーパーの押さえ的役目のみとなっているのが実情である。とは言え、ホルダーにセットしたトイレットペーパーを手前に引きながら適当な長さで切る場合、極めて薄いトイレットペーパーに施したこれまた極めて細いミシン目（切り込み線）は大変見えにくく、そのため時によって、ミシン目から大きく外れ破ける様状態で切り取ってしまうことが多々生じてしまう。
【課題を解決するための手段】
【０００３】  本発明は、図１で示すと、１巻きのトイレットペーパー１に、数多く等間隔に施されたミシン目２の１センチから１，５センチほど上部に、ミシン目に平行してブルーライン３又は、図２に示す様、横書き文字８や小文様９等を印刷する。
【発明の効果】
【０００４】  図３に示す様、紙押さえプレート６縁７の真下に、帯状のブルーラインが来るようにペーパーを引き、都合のいい所で紙押さえプレートを軽く押さえながらロールペーパーをミシン目２から切り取る。それによって下方を切り離されたロールペーパーの端２は、紙押さえプレート６の縁７から約１センチから１，５センチほど下方に見えることで、以後そのロールペーパーの端２を引く際、紙押さえプレートを上げることなく、常時適当な切り取り線より、きれいにペーパーの切り取りを行うことが出来る。
【図面の簡単な説明】
【０００５】
【図１】  本発明の実施形態を示す斜視図
【図２】  本発明の実施例を示す参考図
【図３】  本発明の使用効果を示す斜視図
【符号の説明】
【０００６】  １  ロールペーパー
２  ミシン目（切り込み線）
３  ブルーライン
４  ロールペーパーの端
５  トイレットペーパーホルダー
６  紙押さえプレート
７  紙押さえプレートの縁
８  横書き文字
９  小文様
【図１】
2012130636.tif 000003
【図２】
2012130636.tif 000004
【図３】
2012130636.tif 000005
(57)【要約】      （修正有）【課題】手間がかからず、穿刺予定部の血管や皮膚の状態確認が容易であり、注射に伴う痛み及び恐怖心を軽減させるつまみ付き表面麻酔シールを提供する。【解決手段】キャラクターシールではなく透明な表面麻酔シール１を、注射時に必要な無駄のない大きさ（穿刺予定部の中心から、せいぜい１０ｍｍ以内）に形成し、表面麻酔シールの貼り剥がしが容易にできるように、シールにつまみ部２を設け、つまみ部を様々なモチーフで模構成とする。【選択図】図１
2012130637.tif 000002
【特許請求の範囲】
キャラクターシールではなく透明な表面麻酔シールを、注射時に必要な無駄のない大きさ（穿刺予定部の中心から、せいぜい１０ｍｍ以内）に形成し、表面麻酔シールの貼り剥がしが容易にできるように、シールにつまみ部を設け、つまみ部を様々なモチーフで模ったものにしたことを特徴とするつまみ付き表面麻酔シール。
【発明の詳細な説明】
【技術分野】
【０００１】  本発明は、注射に伴う痛み及び恐怖心を軽減させるつまみ付き麻酔シールに関するものである。
【背景技術】
【０００２】  注射を刺す時にはどうしても穿刺痛や恐怖感がつきものである。
なお、注射による穿刺痛を和らげるリドカイン剤を裏面に塗布した表面麻酔用キャラクターシール等が知られている（特許文献１参照）。
【先行技術文献】
【０００３】
【特許文献１】特許公開平８−８１３６２号広報
【発明の概要】
【発明が解決しようとする課題】
【０００４】  従来の表面麻酔テープは注射専用ではないため、注射の前に使用する場合は必要以上にテープの無駄な部分が多かった。もしくは適度な大きさに切る場合には手間がかかることから、既存しながらも注射時での使用率は低かった。
なお、従来の表面麻酔用キャラクターシールのように表面がキャラクター絵図で覆われてしまうと、シールを貼った穿刺予定部の血管や皮膚の状態確認が困難になる。
キャラクターが描かれている点については幼児以外の患者への使用が躊躇される。
本発明は、以上の問題点を解決するためになされたものである。
【問題を解決するための手段】
【０００５】  キャラクターシールではなく透明な表面麻酔シールを、注射時に必要な無駄の無い大きさ（穿刺予定部の中心から、せいぜい１０ｍｍ以内）に形成し、表面麻酔シールの貼り剥がしが容易にできるように、シールにつまみ部を設ける。
つまみ部は様々なモチーフを模ったものにする。
以上の構成よりなるつまみ付き表面麻酔シール。
【発明の効果】
【０００６】  表面麻酔シールを注射の際に必要とされる大きさにすることにより、従来の表面麻酔テープのようなシール部分の無駄がなくなる。もしくは、使用時毎に適度な大きさに切る手間が省かれる。
つまみ部を取り付けることによって、小さなシールの貼り剥がしが簡単にできるようになる。
キャラクターシールと違って、シール貼付後に穿刺予定部の血管の状態や皮膚への刺激状態を目視できる。
つまみ部が可愛らしいモチーフに模ってあるので、キャラクターシールでなくても注射のよる恐怖心や緊張感が和らげられ、治療時の苦痛を軽減する事が可能となる。
【図面の簡単な説明】
【０００７】
【図１】本発明のイメージを示す平面図
【発明を実施するための形態】
【０００８】  以下、本発明の形態を説明する。
（イ）キャラクターシールではなく透明な表面麻酔シール（１）を、注射時に必要な無駄のない大きさ（穿刺予定部の中心から、せいぜい１０ｍｍ以内）に形成する。
（ロ）貼り剥がしが容易にできるように、表面麻酔シール（１）につまみ部（２）を設ける。
（ハ）つまみ部（２）は様々なモチーフを模ったものにする。
本発明は以上のような構造である。
本発明を使用するときは、つまみ部（２）を持ち表面麻酔シール（１）を注射穿刺予定部に貼付する。
【符号の説明】
【０００９】  １表面麻酔シール、２つまみ部
【図１】
2012130637.tif 000003